(57)【特許請求の範囲】
【請求項１】
電力量計の機能部である電力量計本体部が正面側に配設されると共に前記電力量計本体部の隣に位置する電力量計端子部が正面側に設けられた電力量計ベース部、及び
前記電力量計本体部をカバーする電力量計本体部カバー部と前記電力量計端子部をカバーする電力量計端子部カバー部と前記電力量計本体部カバー部の前記電力量計ベース部の側に位置する嵌合用スカート部と前記嵌合用スカート部から延在し前記電力量計端子部カバー部の両側に位置する対を成す可撓性腕部とが一体に形成された電力量計本体部端子部共用カバーを備え、
前記嵌合用スカート部の前記電力量計端子部と反対側に位置する部分に形成された第１のカバー側嵌合部と前記電力量計ベース部の前記電力量計端子部と反対側に位置する部分に形成された第１のベース側嵌合部とで第１の嵌合部が形成され、
前記対を成す可撓性腕部の各自由端に形成された第２のカバー側嵌合部と前記電力量計ベース部１に前記対を成す可撓性腕部に対応して設けられた対を成す第２のベース側嵌合部とで第２の嵌合部が形成され、
前記対を成す可撓性腕部の各内側に突設され正面から見た形状が直角三角形状の三角柱状の対を成すカバー側係止部と前記電力量計ベース部に前記対を成すカバー側係止部に対応して設けられ正面から見た形状が直角三角形状の三角柱状の対を成すベース側係止部とでスナップフィット係止部が形成され、
前記電力量計本体部端子部共用カバーの前記嵌合用スカート部を前記電力量計ベース部の外周部に嵌合して前記電力量計本体部カバー部が前記電力量計本体部をカバーし前記電力量計端子部カバー部が前記電力量計端子部をカバーしている状態で、前記電力量計本体部端子部共用カバーが、前記電力量計本体部から前記電力量計端子部の方向へ移動されることにより、前記可撓性腕部の撓みにより前記スナップフィット係止部が作動して前記電力量計本体部端子部共用カバーの前記電力量計本体部から前記電力量計端子部の方向と逆の方向への移動が阻止され、前記第１の嵌合部の前記第１のカバー側嵌合部と前記第１の嵌合部の前記第１のベース側嵌合部とが嵌合して前記第１の嵌合部において電力量計本体部端子部共用カバーが前記電力量計ベース部から正面側に離脱するのを阻止され、前記第２の嵌合部の前記第２のカバー側嵌合部と前記第２の嵌合部の前記第２のベース側嵌合部とが嵌合して前記第２の嵌合部において電力量計本体部端子部共用カバーが前記電力量計ベース部から正面側に離脱するのを阻止される電力量計。
【請求項２】
請求項１に記載の電力量計において、前記電力量計本体部端子部共用カバーの前記電力量計本体部から前記電力量計端子部の方向への移動により、前記可撓性腕部が撓んで、前記三角柱状のカバー側係止部の直角三角形の長辺に相当する傾斜部が、前記三角柱状のベース側係止部の直角三角形の長辺に相当する傾斜部をスライドして乗り越えた後に前記可撓性腕部の撓みが無い状態に戻り、前記電力量計本体部端子部共用カバーの前記電力量計本体部から前記電力量計端子部の方向と逆の方向への移動が、前記三角柱状のカバー側係止部の直角三角形の短辺に相当する係止面が、前記三角柱状のベース側係止部の直角三角形の短辺に相当する係止面に当接することにより阻止されることを特徴とする電力量計。
【請求項３】
請求項１又は請求項２に記載の電力量計において、前記第１の嵌合部の前記第１のカバー側嵌合部と前記第１の嵌合部の前記第１のベース側嵌合部との嵌合により、前記スナップフィット係止部が作動した後の、前記電力量計本体部端子部共用カバーの前記電力量計本体部から前記電力量計端子部の方向への更なる移動が阻止されることを特徴とする電力量計。
【請求項４】
請求項３に記載の電力量計において、前記電力量計本体部端子部共用カバーの前記嵌合用スカート部を前記電力量計ベース部の外周部に嵌合して前記電力量計本体部カバー部が前記電力量計本体部をカバーし前記電力量計端子部カバー部が前記電力量計端子部をカバーしている状態で且つ前記電力量計本体部端子部共用カバーが、前記電力量計本体部から前記電力量計端子部の方向へ移動される前の状態では、電力量計端子部カバー部と電力量計本体部との前記移動の方向の最短間隔Ａと前記移動の距離Ｂとの関係がＡ＞Ｂであることを特徴とする電力量計。
【請求項５】
請求項１から請求項４の何れか一に記載の電力量計において、前記第１の嵌合部が上方に前記電力量計端子部が下方になるように電力量計が配設された状態で前記第１の嵌合部の前記第１のカバー側嵌合部と前記第１の嵌合部の前記第１のベース側嵌合部との嵌合により、前記第１の嵌合部における防水機能が生じることを特徴とする電力量計。
【請求項６】
請求項１から請求項５の何れか一に記載の電力量計において、前記嵌合用スカート部における前記可撓性腕部の周囲に設けられ前記可撓性腕部を保護する保護部を持つことを特徴とする電力量計。 
【発明の詳細な説明】
【技術分野】
【０００１】
この発明は、電力量計の機能部である電力量計本体部および電力量計端子部をカバーでカバーする構造の電力量計に関するものである。
【背景技術】
【０００２】
電力量計の機能部である電力量計本体部および電力量計端子部をカバーでカバーする構造の電力量計においては、一般的には図８に示すように、電力量計本体部が搭載された電力量計ベース部１に、電力量計本体部をカバーする単体の電力量計本体部カバー３を電力量計ベース部１に３本のネジでネジ止めし、電力量計端子部をカバーする単体の電力量計端子部カバー４を電力量計ベース部１に２本のネジでネジ止めする構造である。
【０００３】
図８に示す従来の電力量計とはタイプが異なるが、カバーをベース部にネジ止めする電力量計収納盤は特許文献１のようなものがある。
【先行技術文献】
【特許文献】
【０００４】
【特許文献１】特開２０００−２７０４２２号公報（図１及びその説明）
【発明の概要】
【発明が解決しようとする課題】
【０００５】
図８に示す従来の電力量計では、カバーとベース間に位置決め構造がなく、カバーの取り付けに際し、カバーとベースのネジ位置を目視にて合わせる必要があるため、作業性が悪い、また、カバーをベースに締め付けるネジの締め付けトルクを管理する必要があるという課題があることから、ベースへのカバーの取り付け作業の作業性をよくするのが好ましい。
【０００６】
この発明は上記の課題を解決するために、電力量計においてカバーの取り付け作業の容易化を目的とするものである。
【課題を解決するための手段】
【０００７】
この発明に係る電力量計は、電力量計の機能部である電力量計本体部が正面側に配設されると共に前記電力量計本体部の隣に位置する電力量計端子部が正面側に設けられた電力量計ベース部、及び前記電力量計本体部をカバーする電力量計本体部カバー部と前記電力量計端子部をカバーする電力量計端子部カバー部と前記電力量計本体部カバー部の前記電力量計ベース部の側に位置する嵌合用スカート部と前記嵌合用スカート部から延在し前記電力量計端子部カバー部の両側に位置する対を成す可撓性腕部とが一体に形成された電力量計本体部端子部共用カバーを備え、前記嵌合用スカート部の前記電力量計端子部と反対側に位置する部分に形成された第１のカバー側嵌合部と前記電力量計ベース部の前記電力量計端子部と反対側に位置する部分に形成された第１のベース側嵌合部とで第１の嵌合部が形成され、前記対を成す可撓性腕部の各自由端に形成された第２のカバー側嵌合部と前記電力量計ベース部に前記対を成す可撓性腕部に対応して設けられた対を成す第２のベース側嵌合部とで第２の嵌合部が形成され、前記対を成す可撓性腕部の各内側に突設され正面から見た形状が直角三角形状の三角柱状の対を成すカバー側係止部と前記電力量計ベース部に前記対を成すカバー側係止部に対応して設けられ正面から見た形状が直角三角形状の三角柱状の対を成すベース側係止部とでスナップフィット係止部が形成され、前記電力量計本体部端子部共用カバーの前記嵌合用スカート部を前記電力量計ベース部の外周部に嵌合して前記電力量計本体部カバー部が前記電力量計本体部をカバーし前記電力量計端子部カバー部が前記電力量計端子部をカバーしている状態で、前記電力量計本体部端子部共用カバーが、前記電力量計本体部から前記電力量計端子部の方向へ移動されることにより、前記可撓性腕部の撓みにより前記スナップフィット係止部が作動して前記電力量計本体部端子部共用カバーの前記電力量計本体部から前記電力量計端子部の方向と逆の方向への移動が阻止され、前記第１の嵌合部の前記第１のカバー側嵌合部と前記第１の嵌合部の前記第１のベース側嵌合部とが嵌合して前記第１の嵌合部において電力量計本体部端子部共用カバーが前記電力量計ベース部から正面側に離脱するのを阻止され、前記第２の嵌合部の前記第２のカバー側嵌合部と前記第２の嵌合部の前記第２のベース側嵌合部とが嵌合して前記第２の嵌合部において電力量計本体部端子部共用カバーが前記電力量計ベース部から正面側に離脱するのを阻止されるものである。 
【発明の効果】
【０００８】
この発明は、電力量計の機能部である電力量計本体部が正面側に配設されると共に前記電力量計本体部の隣に位置する電力量計端子部が正面側に設けられた電力量計ベース部、及び前記電力量計本体部をカバーする電力量計本体部カバー部と前記電力量計端子部をカバーする電力量計端子部カバー部と前記電力量計本体部カバー部の前記電力量計ベース部の側に位置する嵌合用スカート部と前記嵌合用スカート部から延在し前記電力量計端子部カバー部の両側に位置する対を成す可撓性腕部とが一体に形成された電力量計本体部端子部共用カバーを備え、前記嵌合用スカート部の前記電力量計端子部と反対側に位置する部分に形成された第１のカバー側嵌合部と前記電力量計ベース部の前記電力量計端子部と反対側に位置する部分に形成された第１のベース側嵌合部とで第１の嵌合部が形成され、前記対を成す可撓性腕部の各自由端に形成された第２のカバー側嵌合部と前記電力量計ベース部に前記対を成す可撓性腕部に対応して設けられた対を成す第２のベース側嵌合部とで第２の嵌合部が形成され、前記対を成す可撓性腕部の各内側に突設され正面から見た形状が直角三角形状の三角柱状の対を成すカバー側係止部と前記電力量計ベース部に前記対を成すカバー側係止部に対応して設けられ正面から見た形状が直角三角形状の三角柱状の対を成すベース側係止部とでスナップフィット係止部が形成され、前記電力量計本体部端子部共用カバーの前記嵌合用スカート部を前記電力量計ベース部の外周部に嵌合して前記電力量計本体部カバー部が前記電力量計本体部をカバーし前記電力量計端子部カバー部が前記電力量計端子部をカバーしている状態で、前記電力量計本体部端子部共用カバーが、前記電力量計本体部から前記電力量計端子部の方向へ移動されることにより、前記可撓性腕部の撓みにより前記スナップフィット係止部が作動して前記電力量計本体部端子部共用カバーの前記電力量計本体部から前記電力量計端子部の方向と逆の方向への移動が阻止され、前記第１の嵌合部の前記第１のカバー側嵌合部と前記第１の嵌合部の前記第１のベース側嵌合部とが嵌合して前記第１の嵌合部において電力量計本体部端子部共用カバーが前記電力量計ベース部から正面側に離脱するのを阻止され、前記第２の嵌合部の前記第２のカバー側嵌合部と前記第２の嵌合部の前記第２のベース側嵌合部とが嵌合して前記第２の嵌合部において電力量計本体部端子部共用カバーが前記電力量計ベース部から正面側に離脱するのを阻止されるので、電力量計ベース部１への電力量計本体部端子部共用カバーの取り付けにネジを使用する必要はなく、電力量計ベース部１への電力量計本体部端子部共用カバーの取り付けが堅固に行われ、しかも電力量計本体部端子部共用カバーを電力量計ベース部から簡単には取り外すことができないという効果がある。 
【図面の簡単な説明】
【０００９】
【図１】この発明の実施の形態１を示す図で、電力量計ベース部に電力量計本体部端子部共用カバーを取り付ける前の状態を例示する斜視図である。
【図２】この発明の実施の形態１を示す図で、電力量計ベース部に電力量計本体部端子部共用カバーを取り付けた状態を例示する斜視図である。
【図３】この発明の実施の形態１を示す図で、電力量計ベース部に電力量計本体部端子部共用カバーを取り付ける作業工程を例示する側面図である。
【図４】この発明の実施の形態１を示す図で、電力量計ベース部に電力量計本体部端子部共用カバーを取り付けた状態を例示する正面図である。
【図５】この発明の実施の形態１を示す図で、（ａ），（ｂ）は図４のV−V線における断面を矢印方向に見た図であり、図３（ｂ），（ｃ）に例示した第１段階の嵌合状態，第２段階の嵌合状態を拡大して断面で例示する断面図である。
【図６】この発明の実施の形態１を示す図で、電力量計ベース部に電力量計本体部端子部共用カバーを取り付けた状態を例示する正面図である。
【図７】この発明の実施の形態１を示す図で、図６のVII−VII線における断面を矢印方向に見た拡大断面図で、（ａ）は第１段階の嵌合状態を、（ｂ）は第２段階の嵌合状態を、それぞれ例示する図である。
【図８】従来の電力量計を例示する図で、単体の電力量計本体部カバー及び単体の電力量計端子部カバーを電力量計ベース部にネジ止めする前の状態を示す斜視図である。
【発明を実施するための形態】
【００１０】
実施の形態１．
以下この発明の実施の形態１を図１〜図６により説明する。
本実施の形態１の電力量計は、図示のように、電力量計ベース部１に電力量計本体部端子部共用カバー２を、ネジ止めすることなく容易に取り付けることができ、しかも電力量計本体部端子部共用カバー２を電力量計ベース部１から簡単には取り外すことができない構造を例示してある。
【００１１】
図示のように、電力量計ベース部１は、外周部１ｏｃ、電力量計本体部１１、電力量計端子部１２、第１のベース側嵌合部１３１、第２のベース側嵌合部１３２、ベース側係止部１３３、ベース側係止部１３３の傾斜部１３３１、及びベース側係止部１３３の係止面１３３２を有している。
【００１２】
図示のように、電力量計本体部端子部共用カバー２は、電力量計本体部カバー部２１、電力量計端子部カバー部２２、嵌合用スカート部２３、第１のカバー側嵌合部２３１、可撓性腕部２４、第２のカバー側嵌合部２４１、カバー側係止部２４２、カバー側係止部２４２の傾斜部２４２１、カバー側係止部２４２の係止面２４２２、及び可撓性腕部２４を保護する保護部２４３を有している。
【００１３】
また、電力量計ベース部１と電力量計本体部端子部共用カバー２とに跨って、スナップフィット係止部１２ｓｆ、及び第１の嵌合部１２１ｅ、第２の嵌合部１２２ｅが構成されている。
【００１４】
具体的には、図示のように、電力量計の機能部である電力量計本体部１１が正面側に配設されると共に前記電力量計本体部１１の隣に位置する電力量計端子部１２が正面側に設けられた電力量計ベース部１、及び前記電力量計本体部１１をカバーする電力量計本体部カバー部２１と前記電力量計端子部１２をカバーする電力量計端子部カバー部２２と前記電力量計本体部カバー部２１の前記電力量計ベース部側に位置する嵌合用スカート部２３と前記嵌合用スカート部２３から延在し前記電力量計端子部カバー部２２の両側に位置する対を成す可撓性腕部２４とが一体に形成された電力量計本体部端子部共用カバー２を備え、前記嵌合用スカート部２３の前記電力量計端子部と反対側に位置する部分に形成された第１のカバー側嵌合部２３１と前記電力量計ベース部１の前記電力量計端子部と反対側に位置する部分に形成された第１のベース側嵌合部１３１とで第１の嵌合部１２１ｅが形成され、前記対を成す可撓性腕部２４の各自由端に形成された第２のカバー側嵌合部２４１と前記電力量計ベース部１に前記対を成す可撓性腕部２４に対応して設けられた対を成す第２のベース側嵌合部１３２とで第２の嵌合部１２２ｅが形成され、  前記対を成す可撓性腕部２４の各内側に突設され正面から見た形状が直角三角形状の三角柱状の対を成すカバー側係止部２４２と前記電力量計ベース部１に前記対を成すカバー側係止部２４２に対応して設けられ正面から見た形状が直角三角形状の三角柱状の対を成すベース側係止部１３３とでスナップフィット係止部１２ｓｆが形成され、前記電力量計本体部端子部共用カバー２の前記嵌合用スカート部２３を前記電力量計ベース部１の外周部１ｏｃに嵌合して前記電力量計本体部カバー部２１が前記電力量計本体部１１をカバーし前記電力量計端子部カバー部２２が前記電力量計端子部１２をカバーしている状態で、前記電力量計本体部端子部共用カバー２が、前記電力量計本体部１１から前記電力量計端子部１２の方向へ移動されることにより、前記可撓性腕部２４の撓みにより前記スナップフィット係止部１２ｓｆが作動して前記電力量計本体部端子部共用カバー２の前記電力量計本体部１１から前記電力量計端子部１２の方向と逆の方向への移動が阻止され、前記第１の嵌合部１２１ｅの前記第１のカバー側嵌合部２３１と前記第１の嵌合部１２１ｅの前記第１のベース側嵌合部１３１とが嵌合して前記第１の嵌合部１２１ｅにおいて電力量計本体部端子部共用カバー２が前記電力量計ベース部１から正面側に離脱するのを阻止され、前記第２の嵌合部１２２ｅの前記第２のカバー側嵌合部２４１と前記第２の嵌合部１２２ｅの前記第２のベース側嵌合部１３２とが嵌合して前記第２の嵌合部１２２ｅにおいて電力量計本体部端子部共用カバー２が前記電力量計ベース部１から正面側に離脱するのを阻止される。   
【００１５】
前記電力量計本体部端子部共用カバー２の前記電力量計本体部１１から前記電力量計端子部１２の方向への移動により、前記可撓性腕部２４が撓んで、前記三角柱状のカバー側係止部２４２の直角三角形の長辺に相当する傾斜部２４２１が、前記三角柱状のベース側係止部１３３の直角三角形の長辺に相当する傾斜部１３３１をスライドして乗り越えた後に前記可撓性腕部２４の撓みが無い状態に戻り、前記電力量計本体部端子部共用カバー２の前記電力量計本体部１１から前記電力量計端子部１２の方向と逆の方向への移動が、前記三角柱状のカバー側係止部２４２の直角三角形の短辺に相当する係止面２４２２が、前記三角柱状のベース側係止部１３３の直角三角形の短辺に相当する係止面１３３２に当接することにより阻止される。
【００１６】
前記第１の嵌合部１２１ｅの前記第１のカバー側嵌合部２３１と前記第１の嵌合部１２１ｅの前記第１のベース側嵌合部１３１との嵌合により、前記スナップフィット係止部１２ｓｆが作動した後の、前記電力量計本体部端子部共用カバー２の前記電力量計本体部１１から前記電力量計端子部１２の方向への更なる移動が阻止される。
【００１７】
前記電力量計本体部端子部共用カバー２の前記嵌合用スカート部２３を前記電力量計ベース部１の外周部１ｏｃに嵌合して前記電力量計本体部カバー部２１が前記電力量計本体部１１をカバーし前記電力量計端子部カバー部２２が前記電力量計端子部１２をカバーしている状態で且つ前記電力量計本体部端子部共用カバー２が、前記電力量計本体部１１から前記電力量計端子部１２の方向へ移動される前の状態では、電力量計端子部カバー部２２と電力量計本体部１１との前記移動方向の最短間隔Ａと前記移動距離Ｂとの関係がＡ＞Ｂである。
【００１８】
前記第１の嵌合部１２１ｅが上方に前記電力量計端子部１２が下方になるように電力量計が配設された状態で前記第１の嵌合部１２１ｅの前記第１のカバー側嵌合部２３１と前記第１の嵌合部１２１ｅの前記第１のベース側嵌合部１３１との嵌合により、前記第１の嵌合部１２１ｅにおける防水機能が生じる。
【００１９】
図３（ａ）の状態から、図３（ｂ）、図７（ａ）の第１段階の嵌合状態になるように、前記電力量計ベース部１の方へ前記電力量計本体部端子部共用カバー２を移動（又は前記電力量計ベース部１と前記電力量計本体部端子部共用カバー２とを相対的に移動）すると、電力量計ベース部１の外周部１ｏｃに電力量計本体部端子部共用カバー２の嵌合用スカート部２３が誘導されて、図３（ｂ）、図７（ａ）の第１段階の嵌合状態となる。図３（ｂ）、図７（ａ）の第１段階の嵌合状態では、前記電力量計本体部端子部共用カバー２の前記嵌合用スカート部２３を前記電力量計ベース部１の外周部１ｏｃに嵌合して前記電力量計本体部カバー部２１が前記電力量計本体部１１をカバーし前記電力量計端子部カバー部２２が前記電力量計端子部１２をカバーしている状態であり、前記電力量計本体部端子部共用カバー２は、前記電力量計本体部１１から前記電力量計端子部１２の方向へ移動されていない状態である。従って、図７（ａ）に示すように、前記電力量計ベース部１の三角柱状のベース側係止部１３３の前記電力量計本体部１１側に設けられた空間１３３３内に前記電力量計本体部端子部共用カバー２の三角柱状のカバー側係止部２４２が挿入され、カバー側係止部２４２の傾斜部２４２１が電力量計ベース部１のベース側係止部１３３傾斜部１３３１が隣接して対向している状態となっている。
【００２０】
図３（ｃ）、図７（ｂ）の第２段階の嵌合状態では、前記電力量計本体部端子部共用カバー２の前記嵌合用スカート部２３を前記電力量計ベース部１の外周部１ｏｃに嵌合して前記電力量計本体部カバー部２１が前記電力量計本体部１１をカバーし前記電力量計端子部カバー部２２が前記電力量計端子部１２をカバーしている状態で、前記電力量計本体部端子部共用カバー２が、前記電力量計本体部１１から前記電力量計端子部１２の方向へ移動された状態にあり、前記可撓性腕部２４の撓みにより前記スナップフィット係止部１２ｓｆが作動して前記電力量計本体部端子部共用カバー２の前記電力量計本体部１１から前記電力量計端子部１２の方向と逆の方向への移動が阻止され、前記第１の嵌合部１２１ｅの前記第１のカバー側嵌合部２３１と前記第１の嵌合部１２１ｅの前記第１のベース側嵌合部１３１とが嵌合して前記第１の嵌合部１２１ｅにおいて電力量計本体部端子部共用カバー２が前記電力量計ベース部１から正面側に離脱するのを阻止され、前記第２の嵌合部１２２ｅの前記第２のカバー側嵌合部２４１と前記第２の嵌合部１２２ｅの前記第２のベース側嵌合部１３２とが嵌合して前記第２の嵌合部１２２ｅにおいて電力量計本体部端子部共用カバー２が前記電力量計ベース部１から正面側に離脱するのを阻止される。
【００２１】
前記電力量計本体部端子部共用カバー２の前記電力量計本体部１１から前記電力量計端子部１２の方向への移動により、前記可撓性腕部２４が撓んで、前記三角柱状のカバー側係止部２４２の直角三角形の長辺に相当する傾斜部２４２１が、前記三角柱状のベース側係止部１３３の直角三角形の長辺に相当する傾斜部１３３１をスライドして乗り越えた後に前記可撓性腕部２４の撓みが無い状態に戻り、図７（ｂ）から明白なように、前記電力量計本体部端子部共用カバー２の前記電力量計本体部１１から前記電力量計端子部１２の方向と逆の方向への移動が、前記三角柱状のカバー側係止部２４２の直角三角形の短辺に相当する係止面２４２２が、前記三角柱状のベース側係止部１３３の直角三角形の短辺に相当する係止面１３３２に当接することにより阻止される。
【００２２】
また、図５（ｂ）から明白なように、前記第１の嵌合部１２１ｅの前記第１のカバー側嵌合部２３１と前記第１の嵌合部１２１ｅの前記第１のベース側嵌合部１３１との嵌合により、前記スナップフィット係止部１２ｓｆが作動した後の、前記電力量計本体部端子部共用カバー２の前記電力量計本体部１１から前記電力量計端子部１２の方向への更なる移動が阻止される。
【００２３】
また、図５（ａ）から明白なように、前記電力量計本体部端子部共用カバー２の前記嵌合用スカート部２３を前記電力量計ベース部１の外周部１ｏｃに嵌合して前記電力量計本体部カバー部２１が前記電力量計本体部１１をカバーし前記電力量計端子部カバー部２２が前記電力量計端子部１２をカバーしている状態で且つ前記電力量計本体部端子部共用カバー２が、前記電力量計本体部１１から前記電力量計端子部１２の方向へ移動される前の状態では、電力量計端子部カバー部２２と電力量計本体部１１との前記移動方向の最短間隔Ａと前記移動距離Ｂとの関係がＡ＞Ｂである。
【００２４】
また、スカート部２３には、可撓性腕部２４の周囲に設けられ、可撓性腕部２４を保護する保護部２４３を有しており、可撓性腕部２４が外部からの衝撃等により破損することを防いでいる。
【００２５】
なお、本発明は、その発明の範囲内において、実施の形態を適宜変形することができる。
なお、各図中、同一符合は同一または相当部分を示す。
【符号の説明】
【００２６】
１    電力量計ベース部、
１ｏｃ    電力量計ベース部１の外周部、
１１    電力量計本体部、
１２    電力量計端子部、
１２ｓｆ    スナップフィット係止部、
１２１ｅ    第１の嵌合部、
１２２ｅ    第２の嵌合部、
１３１    第１のベース側嵌合部、
１３２    第２のベース側嵌合部、
１３３    ベース側係止部、
１３３１    ベース側係止部１３３の傾斜部、
１３３２    ベース側係止部１３３の係止面、
１３３３    空間、
２    電力量計本体部端子部共用カバー、
２１    電力量計本体部カバー部、
２２    電力量計端子部カバー部、
２３    嵌合用スカート部、
２３１    第１のカバー側嵌合部、
２４    可撓性腕部、
２４１    第２のカバー側嵌合部、
２４２    カバー側係止部、
２４２１    カバー側係止部２４２の傾斜部、
２４２２    カバー側係止部２４２の係止面、
２４３    保護部。
【図１】
0005984471.tif 000002
【図２】
0005984471.tif 000003
【図３】
0005984471.tif 000004
【図４】
0005984471.tif 000005
【図５】
0005984471.tif 000006
【図６】
0005984471.tif 000007
【図７】
0005984471.tif 000008
【図８】
0005984471.tif 000009